(57)【要約】【課題】壁面に取り付けるタイプの照明器具の取付を容易にすることのできる照明器具を提供すること。【解決手段】壁面１５から突出する灯具１を有する照明器具において、壁面１５に固定される取付板１７と、中心付近にめねじ部９を有するとともに周縁に筒部１１を有するフランジ具８と、フランジ具８のめねじ部９に螺合されるおねじ部９及び取付板１７に係止される係止部１４を有して灯具１に接続されるアーム７と、を備え、アーム７は、取付板１７に係止部１４を引掛け、さらにフランジ具８のめねじ部９がアーム７のおねじ部１０に螺合されることにより、フランジ具８の筒部１１が壁面１５に当接して係止部１４を壁面１５に対して手前に移動させ、これにより取付板１７に係止部１４が固定されるようにした。【選択図】        図１
2004296241.tif 000002
【特許請求の範囲】
【請求項１】
壁面から突出する灯具を有する照明器具において、壁面に固定される取付板と、中心付近にめねじ部を有するとともに周縁に筒部を有するフランジ具と、フランジ具のめねじ部に螺合されるおねじ部及び取付板に係止される係止部を有して灯具に接続されるアームと、を備え、アームは、取付板に係止部を引掛け、さらにフランジ具のめねじ部がアームのおねじ部に螺合されることにより、フランジ具の筒部が壁面に当接して係止部を壁面に対して手前に移動させ、これにより取付板に係止部が固定されるものであることを特徴とする照明器具。
【請求項２】
前記取付板は、上下方向に開口する開口部を備えて壁面に対して手前に突出した凸片を有し、開口部に係止部を引掛けることにより係止されるものであることを特徴とする請求項１記載の照明器具。
【請求項３】
前記取付板は、取付板の上部及び下部に凸片を有することを特徴とする請求項２記載の照明器具。
【請求項４】
前記係止部が係止される開口部の係止縁は、下部よりも上部の方が壁面側に位置することを特徴とする請求項３記載の照明器具。
【請求項５】
前記開口部は、壁面に対して手前側に係止部の幅と略同一幅となる狭開口部分を、壁面側にアームに設けた係止部の幅より広い広開口部分を備えることを特徴とする請求項２乃至請求項４記載の照明器具。
【請求項６】
前記係止部は、狭開口部分の両側の縁で係止される突出部分を有することを特徴とする請求項５記載の照明器具。
【発明の詳細な説明】
【０００１】
【発明の属する技術分野】
本発明は、照明器具、特に照明器具の取付構造に関するものである。
【０００２】
【従来の技術】
この種の照明器具の従来例として、本出願人は、実開平４−９４２０９号公報に示すものを提案している。このものは、天井面に固定されたシーリングプレートにより下方に突設された固定ねじを取付孔に挿通させるとともに、固定ねじに固定ナットを螺合させることによって、シーリングプレートと固定ナットとの間に挟持される。
【０００３】
【特許文献１】
実開平４−９４２０９号公報
【０００４】
【発明が解決しようとする課題】
しかしながら、上記従来例においては、固定ねじを取付孔に挿通させる際に、固定ねじを取付孔に合わせる手間が生じるという課題があった。特に、壁面に取り付けるタイプの場合には、照明器具を保持しながら、固定ねじを取付孔に合わせる必要があるため、その取り付けが容易ではなかった。
【０００５】
本発明は、かかる事由に鑑みてなしたものであり、その目的とするところは、特に壁面に取り付けるタイプの照明器具の取付を容易にすることのできる照明器具を提供することである。
【０００６】
【課題を解決するための手段】
請求項１に係る発明は、壁面から突出する灯具を有する照明器具において、壁面に固定される取付板と、中心付近にめねじ部を有するとともに周縁に筒部を有するフランジ具と、フランジ具のめねじ部に螺合されるおねじ部及び取付板に係止される係止部を有して灯具に接続されるアームと、を備え、アームは、取付板に係止部を引掛け、さらにフランジ具のめねじ部がアームのおねじ部に螺合されることにより、フランジ具の筒部が壁面に当接して係止部を壁面に対して手前に移動させ、これにより取付板に係止部が固定されるものであることを特徴とする。
【０００７】
請求項２に係る発明は、請求項１記載の発明において、前記取付板は、上下方向に開口する開口部を備えて壁面に対して手前に突出した凸片を有し、開口部に係止部を引掛けることにより係止されるものであることを特徴とする。
【０００８】
請求項３に係る発明は、請求項２記載の発明において、前記取付板は、取付板の上部及び下部に凸片を有することを特徴とする。
【０００９】
請求項４に係る発明は、請求項３記載の発明において、前記係止部が係止される開口部の係止縁は、下部よりも上部の方が壁面側に位置することを特徴とする。
【００１０】
請求項５に係る発明は、請求項２乃至請求項４記載の発明において、前記開口部は、壁面に対して手前側に係止部の幅と略同一幅となる狭開口部分を、壁面側にアームに設けた係止部の幅より広い広開口部分を備えることを特徴とする。
【００１１】
請求項６に係る発明は、請求項５記載の発明において、前記係止部は、狭開口部分の両側の縁で係止される突出部分を有することを特徴とする。
【００１２】
【発明の実施の形態】
本実施形態の照明器具を、図１〜図８に基づいて説明する。図１（ａ）は、本実施形態の一部を切り欠いた全体図、（ｂ）は、要部の背面図である。図２（ａ）は、係止前の開口部及び係止部を示す図、（ｂ）は、係止時の開口部及び係止部を示す図である。である。図３（ａ）は、要部の背面図、（ｂ）は、フランジ具を切断した状態での要部の上面図、（ｃ）は、フランジ具を切断した状態での要部の側面図である。図４（ａ）は、壁面から係止縁までの距離が上部凸片と下部凸片とで等しい状態を示す図、（ｂ）は、上部凸片の壁面から係止縁までの距離が、下部凸片のそれよりも短い状態を示す図である。図５（ａ）は、フランジ具の筒部が、壁面の表面に当接している状態を示す図、（ｂ）は、同筒部が、壁面に食い込んでいる状態を示す図である。図６（ａ）は、照明器具取り付け前の要部側面図、（ｂ）は照明器具取り付け時の要部側面図である。図７（ａ）は、本実施形態の別例１の係止前の開口部及び係止部を示す図、（ｂ）は、同係止時の開口部及び係止部を示す図である。図８（ａ）は、本実施形態の別例２の係止前の開口部及び係止部を示す図、（ｂ）は、同係止時の開口部及び係止部を示す図である。
【００１３】
本実施形態の照明器具は、図１に示すように壁面１５から突出する灯具１を有する照明器具において、壁面１５に固定される取付板１７と、中心付近にめねじ部９を有するとともに周縁に筒部１１を有するフランジ具８と、フランジ具８のめねじ部９に螺合されるおねじ部１０及び取付板１７に係止される係止部１４を有して灯具１に接続されるアーム７と、を備え、アーム７は、取付板１７に係止部１４を引掛け、さらにフランジ具８のめねじ部９がアーム７のおねじ部１０に螺合されることにより、フランジ具８の筒部１１が壁面１５に当接して係止部１４を壁面１５に対して手前に移動させ、これにより取付板１７に係止部１４が固定されるようにしたものである。
【００１４】
灯具１は、ガラス又はプラスチックの材料を用いて、略円筒形に形成されたカバー２と、金属製板材をプレス加工した押さえ金具３と、電球４のバルブが上向きで装着される碍子製のソケット５を備え構成されている。
【００１５】
また、灯具１の下部には、真鍮製の取付具６が結合し、取付具６の側面には、鋼管製で直径１０ｍｍの中空のアーム７が接続されている。アーム７の根元近傍には、フランジ具８のめねじ部９が螺合されるおねじ部１０が形成されている。フランジ具８は、厚み０．８ｍｍの金属製板材をへら絞り加工したもので、その周縁に筒部１１、中心付近にめねじ部９を有している。また、アーム７の根元には、ナット１２により、係止部１４を備える取付金具１３が取り付けられている。壁面１５には、固定ねじ１６により、係止部１４を係止する取付板１７が固定されている。また、図１（ｂ）に示すように、フランジ具８内には、電源線と電球４が接続された配線１８を接続するコネクタ１９が設けられている。
【００１６】
また、図２に示すように係止部１４は、先端が垂下するＬ字形状に形成されている。また、係止部１４の先端には、狭開口部分２２（後述する）の両側の縁で係止される突出部分２４が形成されている。この突出部分２４は、係止部１４の上下方向のガタツキを防止するために設けたものである。取付板１７は、厚み１．２ｍｍの略円盤形状であり、上下方向に開口する開口部２０を備えて壁面１５に対して手前に突出した凸片２１を備えている。凸片２１は、上面視において略長方形であり、凸片２１に設けた開口部２０は、壁面１５に対して手前側に係止部１４の幅Ｌ１と略同一幅となる狭開口部分２２及び壁面１５側に係止部１４の突出部分２４幅Ｌ２より広い広開口部分２３とを備えている。ここで、広開口部分２３は、係止部１４を係止する際に、係止部１４を挿入する部分であり、狭開口部分２２は、係止部１４を固定する際に、壁面１５に対して横方向に発生するガタツキを防止するために設けている。
【００１７】
以上の取付金具１３及び取付板１７は、図３に示すようにフランジ具８内に収納される。図３（ｃ）に示すように、係止部１４は、取付金具１３の上部及び下部に設けられている。また、取付板１７の中心付近には、電源線が挿通される電源孔２５が、電源孔２５の上方及び下方には、取付板１７の取付孔２６が備えられている。また、図４（ｂ）に示すように、係止部１４が係止される取付板１７の開口部２０の係止縁２７は、下部の凸片２１に設けた係止縁２７よりも上部の凸片２１に設けた係止縁２７の方が壁面１５側に位置するようにしている。すなわち、上部の凸片２１の係止縁２７と壁面１５との間隔をＬ３、下部の凸片２１の係止縁２７と壁面１５との間隔をＬ４とすると、Ｌ３＜Ｌ４の関係となるようにするのである。ここで、図４（ａ）は図４（ｂ）との比較の為、上記Ｌ３とＬ４の関係が、Ｌ３＝Ｌ４となる状態を示したものである。また、図５（ａ）に示すように、フランジ具８の筒部１１が、壁面１５に当接した状態においてもおねじ部１０が、壁面１５側に残るよう、余分にねじ溝１０ａを切っている。
【００１８】
つぎに、以上の構成を有する照明器具の施工について説明する。図６（ａ）に示すように、まず予め、２本の固定ねじ１６を用いて、開口部２０が上下方向を向くように取付板１７を壁面１５に固定しておく。そして、ソケット５を垂直に立てた状態にして、一対の係止部１４を上下の開口部２０に挿入して係止する。この状態においては、係止部１４が開口部２０に引掛けられている状態であるので、係止部１４は取付板１７に固定されていない。また、この状態では、フランジ具８は、アーム７に挿通されアーム７上で、移動自在の状態となっている。つぎに、図６（ｂ）に示すようにフランジ具８のめねじ部９を、アーム７のおねじ部１０に押し当て、フランジ具８を、図６（ｂ）に示した矢印の方向に回転させることにより、めねじ部９をアーム７のおねじ部１０に螺合させる。フランジ具８のめねじ部９をアーム７のおねじ部１０に螺合させると、フランジ具８は、壁面１５方向に移動するが、フランジ具８は筒部１１を有しており、フランジ具８の筒部１１が壁面１５に当接することにより壁面１５方向への移動が規制される。
【００１９】
この状態で、さらにフランジ具８を矢印の方向に回転させると、フランジ具８の筒部１１が壁面１５に当接していることにより壁面１５方向に移動することができないため、アーム７が壁面１５に対して手前に移動する。アーム７が壁面１５に対して手前に移動すると、係止部１４がアーム７の動きに連動して壁面１５に対して手前に移動する。これにより、係止部１４と取付板１７間には、引っ張る力が働き、これにより係止部１４が取付板１７に固定されるのである。
【００２０】
また、この状態において、係止部１４は、図２（ｂ）に示すように壁面１５に対して手前側に係止部１４の幅Ｌ１と略同一幅となる狭開口部２２に位置しているため、壁面１５に対し横方向の力が働いても、狭開口部２２の縁でその動きが規制されるため、ガタツキを抑制することができる。また、前述のように係止部１４の先端には、狭開口部分２２の両側の縁で係止される突出部分２４が形成されているため、たとえば灯具１の自重等で、上部の凸片２１の係止部１４に、下部の凸片２１の係止部１４を支点とした壁面１５手前方向の力が発生した場合においても、突出部分２４が、狭開口部分２２の両側の縁で係止されるため、ガタツキを抑制することが可能となる。
【００２１】
以上のようにしたので、灯具１を取付板１７に取り付ける際に固定ねじを取付孔に合わせる作業を省くことができ、容易に灯具１を取り付けることができる。
【００２２】
また、図５（ａ）において説明したように、フランジ具８の筒部１１が、壁面１５に当接した状態においてもおねじ部１０が、壁面１５側に残るよう、余分にねじ溝１０ａを切っている。このため、たとえば壁面１５にクロスが貼ってある場合等、壁面１５が柔らかい状態にある場合においても、フランジ具８の筒部１１を壁面１５に押し込むことにより、灯具１を壁面１５に固定することができる。
【００２３】
さらにまた、図４（ｂ）に示したように、係止部１４が係止される取付板１７の開口部２０の係止縁２７は、下部の凸片２１の係止縁２７よりも上部の凸片２１の係止縁２７の方が壁面１５側に位置するようにしていることにより、アーム７は、壁面１５に対して直交している状態から、僅かに上向いた位置で係止されることになる。これにより、灯具１の自重等により、灯具１が下方向に垂れるという不具合を防止することができる。
【００２４】
なお、本実施形態においては、係止部１４は、狭開口部分２２の両側の縁で係止される突出部分２４を設けたが、図６に示すように係止部１４が断面視において鉤形状になるようにしてもよい。このようにした場合においても、前述のものと同様の作用によりガタツキを抑制することができる。
【００２５】
さらにまた、図７に示すように、取付板１７の一つの凸片２１に一対の開口部２０を設け、係止部１４の突出部分２４を、壁面１４に対して手前に突出するようにしてもよい。このようにした場合においても、前述のものと同様の作用によりガタツキを抑制することができる。
【００２６】
【発明の効果】
請求項１に係る発明は、壁面から突出する灯具を有する照明器具において、壁面に固定される取付板と、中心付近にめねじ部を有するとともに周縁に筒部を有するフランジ具と、フランジ具のめねじ部に螺合されるおねじ部及び取付板に係止される係止部を有して灯具に接続されるアームと、を備え、アームは、取付板に係止部を引掛け、さらにフランジ具のめねじ部がアームのおねじ部に螺合されることにより、フランジ具の筒部が壁面に当接して係止部を壁面に対して手前に移動させ、これにより取付板に係止部が固定されるものであるようにしたので、灯具を取付板に取り付ける際に固定ねじを取付孔に合わせる作業を省くことができ、容易に灯具を取付ることができる。
【００２７】
請求項２に係る発明は、請求項１記載の発明において、前記取付板は、上下方向に開口する開口部を備えて壁面に対して手前に突出した凸片を有し、開口部に係止部を引掛けることにより係止されるものであるようにしたので、係止部と開口部の位置合わせを容易にすることができる。
【００２８】
請求項３に係る発明は、請求項２記載の発明において、前記取付板は、取付板の上部及び下部に凸片を有するようにしたので、凸片を一つだけ設けた場合に比べて、より安定して係止させることができる。
【００２９】
請求項４に係る発明は、請求項３記載の発明において、前記係止部が係止される開口部の係止縁は、下部よりも上部の方が壁面側に位置するようにしたので、アームが壁面に対し僅かに上方向を向くように係止されるので、灯具の自重等で灯具が垂れる等の不具合を防止することができる。
【００３０】
請求項５に係る発明は、請求項２乃至請求項４記載の発明において、前記開口部は、壁面に対して手前側に係止部の幅と略同一幅となる狭開口部分を、壁面側にアームに設けた係止部の幅より広い広開口部分を備えることを特徴とする。
【００３１】
請求項６に係る発明は、請求項５記載の発明において、前記係止部は、狭開口部分の両側の縁で係止される突出部分を有するようにしたので、上側の係止部に、下側の係止部を支点とした壁面手前方向の回転力が発生した場合においても、突出部分が、狭開口部分の両側の縁で係止されるため、ガタツキを抑制することが可能となる。
【図面の簡単な説明】
【図１】（ａ）は、本実施形態の一部を切り欠いた全体図、（ｂ）は、要部の背面図である。
【図２】（ａ）は、係止前の開口部及び係止部を示す図である。
【図３】（ａ）は、要部の背面図、（ｂ）は、フランジ具を切断した状態での要部の上面図、（ｃ）は、フランジ具を切断した状態での要部の側面図である。
【図４】（ａ）は、壁面から係止縁までの距離が上部凸片と下部凸片とで等しい状態を示す図、（ｂ）は、上部凸片の壁面から係止縁までの距離が、下部凸片のそれよりも短い状態を示す図である。
【図５】（ａ）は、フランジ具の筒部が、壁面の表面に当接している状態を示す図、（ｂ）は、同筒部が、壁面に食い込んでいる状態を示す図である。
【図６】（ａ）は、照明器具取り付け前の要部側面図、（ｂ）は照明器具取り付け後の要部側面図である。
【図７】（ａ）は、本実施形態の別例１の係止前の開口部及び係止部を示す図、（ｂ）は、同係止時の開口部及び係止部を示す図である。
【図８】（ａ）は、本実施形態の別例２の係止前の開口部及び係止部を示す図、（ｂ）は、同係止時の開口部及び係止部を示す図である。
【符号の説明】
１    灯具
２    カバー
３    押さえ金具
４    電球
５    ソケット
６    取付具
７    アーム
８    フランジ具
９    めねじ部
１０  おねじ部
１１  筒部
１２  ナット
１３  取付金具
１４  係止部
【図１】
2004296241.tif 000003
【図２】
2004296241.tif 000004
【図３】
2004296241.tif 000005
【図４】
2004296241.tif 000006
【図５】
2004296241.tif 000007
【図６】
2004296241.tif 000008
【図７】
2004296241.tif 000009
【図８】
2004296241.tif 000010